(57)【特許請求の範囲】
【請求項１】
遊技盤に遊技領域が設けられ、
前記遊技領域へ向けて遊技球を発射する発射装置と、
前記発射装置に供給される遊技球を貯溜する皿部と、
前記皿部から前記発射装置に遊技球を１球ずつ供給する遊技球供給装置と、
前記遊技球供給装置により供給されて前記発射装置によって発射された遊技球を前記遊技領域へ向けて誘導する発射レールと、
を有する発射経路が設けられ、
前記遊技球供給装置は、
略箱状に形成された筐体により形成され、
前記筐体には、
前記皿部から供給された遊技球を前記筐体の内部に受け入れるために開口された第一開口部と、
前記第一開口部から前記筐体の内部に受け入れた遊技球を１球ずつ前記発射装置側へ送り出す球送り部材と、
前記球送り部材から送り出された遊技球を前記筐体の外部の前記発射装置へ誘導するために開口された第二開口部と、
前記発射経路に糸状部材が内挿された場合に、当該内挿された状態の糸状部材を切断する切断部材と、
が設けられ、
前記第二開口部は、四方を縁部で囲まれて形成され、且つ前記発射経路に糸状部材が内挿された場合に、前記発射装置により遊技球が発射される方向側の縁部を基点として当該糸状部材を折り返して当該糸状部材の延出方向を変更させる位置に配置され、
前記発射装置により遊技球が発射される方向側の前記第二開口部の縁部には、当該縁部を切り欠いた口が設けられ、
糸状部材が連結された遊技球が発射された場合に、当該連結された糸状部材が当該第二開口部内で四方の縁部により前記口へと誘導され、当該口により前記切断部材へと誘導される、
ことを特徴とするパチンコ遊技機。
【発明の詳細な説明】
【技術分野】
【０００１】
本発明は、パチンコ遊技機の技術に関する。
【背景技術】
【０００２】
従来、パチンコ遊技機において、遊技盤には遊技球が転動する領域である遊技領域が設けられる。遊技領域には、入賞口や始動入賞口や大入賞口等が設けられる。入賞口や始動入賞口に遊技球が入賞すると、所定数の賞球が払い出される。また、前記始動入賞口に遊技球が入賞すると、抽選装置によって大当たり抽選が開始される。さらに、大当たり状態が選択されると大入賞口が解放され、当該大入賞口に遊技球が入賞すると大量の賞球が払い出される。つまり、前記パチンコ遊技機の遊技において、遊技者は、遊技領域を転動する遊技球を所望する各入賞口に入賞させて賞球の獲得を図るものである。
【０００３】
そして、近年では、前記各入賞口に不正に遊技球を入賞させて賞球の獲得を図る不正行為（ゴト行為）が行われている。かかる不正行為として、例えば所謂吊り球ゴトが知られている。吊り球ゴトは、糸状部材の一端側を遊技球に連結し、当該遊技球を遊技領域に転動させ、前記糸状部材の他端側をパチンコ遊技機の外から操作することにより行われる。つまり、吊り球ゴトによれば、前記遊技球は、糸状部材を操作することにより任意方向に移動させることが可能となるので、不正行為者は、所望する各入賞口に不正に当該遊技球を入賞させて賞球の獲得を図ることができる。
【０００４】
そこで、例えば特許文献１に記載において、遊技球の発射経路に複数の球検出センサを配設する技術が公知となっている。前記複数の球検出センサは、遊技球の発射経路において、遊技球の通過方向に対して上流側と下流側とに所定間隔をあけて配置される。そして、各球検出センサを通過する遊技球の挙動や通過速度等を検出することにより、各球検出センサを遊技球が正常に通過したか否かを確認することができる。
この技術によれば、吊り球ゴトが行われることにより糸状部材に連結された遊技球が各球検出センサを通過したこと、つまり遊技球が正常に各球検出センサを通過していないことを検出することができるので、吊り球ゴトが行われることの防止を図ることができる。
【先行技術文献】
【特許文献】
【０００５】
【特許文献１】特開２００２−２７２９２５号公報
【発明の概要】
【発明が解決しようとする課題】
【０００６】
しかしながら、特許文献１に記載の技術では、吊り球ゴトが行われている可能性があることを検出することができるものの、吊り球ゴトが行われることを困難とするための技術ではなかった。つまり、吊り球ゴトが行われている可能性があることを検出したとしても、吊り球ゴト自体は自由に行われるという問題があった。
【０００７】
本発明は上記のような問題点に鑑みてなされたものであり、その解決しようとする課題は、所謂吊り球ゴトを行い難くすることができるパチンコ遊技機を提供することである。
【課題を解決するための手段】
【０００８】
本発明の解決しようとする課題は以上の如くであり、次にこの課題を解決するための手段を説明する。
【０００９】
即ち、請求項１においては、遊技盤に遊技領域が設けられ、前記遊技領域へ向けて遊技球を発射する発射装置と、前記発射装置に供給される遊技球を貯溜する皿部と、前記皿部から前記発射装置に遊技球を１球ずつ供給する遊技球供給装置と、前記遊技球供給装置により供給されて前記発射装置によって発射された遊技球を前記遊技領域へ向けて誘導する発射レールと、を有する発射経路が設けられ、前記遊技球供給装置は、略箱状に形成された筐体により形成され、前記筐体には、前記皿部から供給された遊技球を前記筐体の内部に受け入れるために開口された第一開口部と、前記第一開口部から前記筐体の内部に受け入れた遊技球を１球ずつ前記発射装置側へ送り出す球送り部材と、前記球送り部材から送り出された遊技球を前記筐体の外部の前記発射装置へ誘導するために開口された第二開口部と、前記発射経路に糸状部材が内挿された場合に、当該内挿された状態の糸状部材を切断する切断部材と、が設けられ、前記第二開口部は、四方を縁部で囲まれて形成され、且つ前記発射経路に糸状部材が内挿された場合に、前記発射装置により遊技球が発射される方向側の縁部を基点として当該糸状部材を折り返して当該糸状部材の延出方向を変更させる位置に配置され、前記発射装置により遊技球が発射される方向側の前記第二開口部の縁部には、当該縁部を切り欠いた口が設けられ、糸状部材が連結された遊技球が発射された場合に、当該連結された糸状部材が当該第二開口部内で四方の縁部により前記口へと誘導され、当該口により前記切断部材へと誘導されるものである。
【発明の効果】
【００１０】
本発明の効果として、以下に示すような効果を奏する。
【００１１】
請求項１においては、本発明に係るパチンコ遊技機は、所謂吊り球ゴトを行い難くすることができる。
【図面の簡単な説明】
【００１２】
【図１】本発明の一実施形態に係るパチンコ遊技機の全体的な構成を示す正面図。
【図２】同じく、窓枠を開放された状態の構成を示す斜視図。
【図３】同じく、遊技盤を示す正面図。
【図４】（ａ）同じく、上皿を示す平面図。（ｂ）同じく、上皿を示す正面図。
【図５】同じく、窓枠に取り付けられた状態の球送りカセットを示す背面図。
【図６】同じく、球送りカセットおよび発射装置を示す斜視図。
【図７】同じく、球送りカセットにおける遊技球の送り出しを示す背面図。
【図８】同じく、発射装置を示す斜視図。
【図９】（ａ）同じく、球戻り防止部材を示す側面図。（ｂ）同じく、球戻り防止部材を示す正面図。（ｃ）同じく、球戻り防止部材を示す平面図。
【図１０】同じく、規制部材を示す斜視図。
【図１１】（ａ）同じく、規制部材および糸状部材を示す斜視図。（ｂ）同じく、図１１（ａ）におけるＡ−Ａ線矢視断面図。
【図１２】（ａ）同じく、規制部材の変形前を示す正面図。（ｂ）同じく、規制部材の変形中を示す正面図。
【図１３】（ａ）同じく、別実施形態に係る規制部材と糸状部材を示す斜視図。（ｂ）同じく、図１３（ａ）におけるＢ−Ｂ線矢視断面図。
【図１４】同じく、別実施形態に係る規制部材を示す平面断面図。
【図１５】（ａ）同じく、規制部材とした内レールを示す斜視図。（ｂ）同じく、規制部材とした内レールを示す斜視図。
【図１６】（ａ）同じく、第二球戻り防止部材を示す平面図。（ｂ）同じく、第二球戻り防止部材を示す側面図。
【図１７】（ａ）同じく、別実施形態に係る第二球戻り防止部材を示す平面図。（ｂ）同じく、別実施形態に係る第二球戻り防止部材を示す側面図。
【図１８】（ａ）同じく、別実施形態に係る第二球戻り防止部材を示す平面図。（ｂ）同じく、別実施形態に係る第二球戻り防止部材を示す側面図。
【図１９】同じく、第二球送りカセットを示す背面図。
【図２０】同じく、別実施形態に係る第二球送りカセットを示す背面図。
【図２１】（ａ）同じく、ヒレ状部材を示す正面図。（ｂ）同じく、ヒレ状部材と第二球送りカセットを示す背面図。
【図２２】不正行為の一例を示す図。
【発明を実施するための形態】
【００１３】
まず、本発明の第一実施形態に係るパチンコ遊技機１の全体構成について、図１から図３を用いて説明する。
なお、以下の説明において、特に説明が無い限り、パチンコ遊技機１を遊技者から見て、手前側をパチンコ遊技機１の前側とし、奥側をパチンコ遊技機１の後側として、パチンコ遊技機１の前後方向を規定する。また、パチンコ遊技機１を遊技者から見て、左手側をパチンコ遊技機１の左側とし、右手側をパチンコ遊技機１の右側として、パチンコ遊技機１の左右方向を規定する。
【００１４】
パチンコ遊技機１は、図１および図２が示すように、外枠２と、中枠３と、窓枠４と、により構成される枠体に、各種の遊技部品が取り付けられて形成される。
【００１５】
外枠２は、前後面が開口される略四角筒状の枠体である。外枠２は、機体の外郭を成している。外枠２は、パチンコホール等の遊技場に設けられた台島に設置される。
【００１６】
中枠３は、前後面が開口される略四角筒状の枠体である。中枠３は、外枠２の前側の開口部に、ヒンジ等の軸支部材を介して回動可能に支持される。
中枠３には、遊技盤５と、下皿ユニット６と、が設けられる。
【００１７】
遊技盤５は、図３に示すように、略平板状の部材である。遊技盤５は、中枠３の下側を除く略全面に渡って配置され、当該中枠３に着脱自在に取り付けられる。遊技盤５の前側面には、遊技球が転動する領域である遊技領域７３が設けられる。遊技領域７３は、遊技盤５の前側面において、ガイドレール７５により区画形成される領域である。
【００１８】
ガイドレール７５は、正面視で略円弧状に形成される金属製の帯状の部材である。ガイドレール７５は、遊技盤５に正面視で略円状を形成するように配置され、遊技領域７３の外縁となる。ガイドレール７５は、遊技盤５の前側面に支持され、短手方向を前後方向として当該遊技盤５から前方へ向けて突出している。また、ガイドレール７５は、発射装置６０により発射された遊技球が通過する領域である誘導路７４を区画形成するものである。ガイドレール７５のうちの誘導路７４を区画形成する部分が、後述する発射レール７０の一部を構成することとなる。なお、発射レール７０とは、発射装置６０によって発射された遊技球を遊技領域７３へ向けて誘導するものである。
なお、発射レール７０の構成についての詳細な説明は後述する。
【００１９】
遊技領域７３には、図３に示すように、図柄表示手段１０と、一般入賞口１１と、大入賞装置１２と、可変入賞装置１３と、アウト口１４と、が設けられる。
【００２０】
図柄表示手段１０は、図柄や数字を変動表示する液晶画面１５を備える装置である。図柄表示手段１０は、液晶画面１５を前方へ向けた状態で、遊技盤５の後面側に取り付けられる。液晶画面１５は、遊技領域７３の略中央に前後方向に貫通して開口された図柄表示開口部１６から前方を臨むように配置され、遊技領域７３の前方から視認可能に構成される。
【００２１】
一般入賞口１１は、上面が開口するポケット状に形成され、遊技球を入賞可能とする部材である。一般入賞口１１に遊技球が入賞すると、図示せぬ賞球払出装置によって所定数の賞球（遊技球）が払い出される。一般入賞口１１は、遊技領域７３の下部に複数個が配設される。
【００２２】
可変入賞装置１３は、所定の作動条件を満たすと、左右一対の可動片の動作に応じて、遊技球が始動入賞口１９に入賞可能な開放状態または入賞不能な閉鎖状態に切り替える装置である。始動入賞口１９に遊技球が入賞すると、前記賞球払出装置によって所定数の賞球（遊技球）が払い出されると共に、図示せぬ抽選装置によって大当たり抽選が開始される。可変入賞装置１３は、遊技領域７３の図柄表示手段１０の下方に配置される。
【００２３】
大入賞装置１２は、前記抽選装置による大当たり抽選により大当たり状態が選択されると、大入賞口１７を開放して遊技球を入賞可能とする装置である。大入賞口１７に遊技球が入賞すると、前記賞球払出装置によって所定数の賞球（遊技球）が払い出される。大入賞装置１２は、遊技領域７３の可変入賞装置１３の下方に配置される。
【００２４】
アウト口１４は、遊技領域７３へ投入された遊技球が、一般入賞口１１や大入賞口１７や始動入賞口１９等の各種の口に入賞しなかった場合に、最終的に流入する開口部である。アウト口１４に流入した遊技球は、パチンコホール等の遊技場側に回収される。アウト口１４は、大入賞装置１２の下方、つまり遊技領域７３の最下部に配置される。
【００２５】
下皿ユニット６は、図１および図２に示すように、遊技盤５の下方に配置され、中枠３に固定される。下皿ユニット６の前側略中央には、遊技球が貯溜される下皿２１が配設される。また、下皿２１の右方には、発射ハンドル２２が配設される。発射ハンドル２２は取付方向回りに回動操作可能に支持される。また、発射ハンドル２２の後方（下皿ユニット６の後面側）には、遊技領域７３へ向けて遊技球を発射する装置である発射装置６０が配設される。
【００２６】
窓枠４は、略平板状の枠体である。窓枠４は、中枠３の前側の開口部に、ヒンジ等の軸支部材を介して回動可能に支持される。
窓枠４の略中央には、窓枠開口部７が配設される。窓枠開口部７は、正面視で略円形状であって、前後方向に貫通して開口される。窓枠開口部７には、透明な板状部材である透明板１８が被覆される。窓枠開口部７は、遊技盤５の遊技領域７３の前方に配置され、当該窓枠開口部７を通して当該遊技領域７３を視認可能に構成される。窓枠開口部７の下方であって、窓枠４の前側面には、上皿４０が配設される。上皿４０には、発射装置６０に供給される遊技球が貯溜される。窓枠開口部７の右下方であって、窓枠４の後側面には、球送りカセット５０が配設される。球送りカセット５０は、上皿４０から発射装置６０に遊技球を１球ずつ供給するように構成される。
【００２７】
以上のような構成により、パチンコ遊技機１は、中枠３の下皿ユニット６に設けられた発射ハンドル２２が回動操作されると、同じく中枠３の下皿ユニット６に設けられた発射装置６０へと供給されていた遊技球が、当該発射装置６０により発射され、発射レール７０によって誘導され、当該遊技盤５に設けられた遊技領域７３へと投入される。また、発射装置６０により遊技球が発射されると、窓枠４に設けられた上皿４０に貯溜された遊技球が、球送りカセット５０によって発射装置６０へと供給される。
このように、上皿４０に貯溜された遊技球は、球送りカセット５０、発射装置６０、発射レール７０の順番に供給されて遊技領域７３へと投入される。以下の説明では、これらの、上皿４０と、球送りカセット５０と、発射装置６０と、発射レール７０とを、遊技球の発射経路と称する。
【００２８】
次に、発射経路の構成について、さらに詳細に説明する。
【００２９】
先ず、上皿４０の構成について、図４を用いてさらに詳細に説明する。
【００３０】
上皿４０は、前述したように、発射装置６０により発射される遊技球が貯溜されるものである。上皿４０には、遊技領域７３に配設された一般入賞口１１や始動入賞口１９や大入賞口１７等の各入賞口に遊技球が入賞した場合に前記賞球払出装置によって払い出される遊技球が流入する。上皿４０は、上面が開口された略皿状に形成され、窓枠４から前方へ向けて突出している。上皿４０の底板４１の上面側は、右方へ行くに従い緩やかに傾斜して、貯溜された遊技球が右方へ案内される。上皿４０の右部には、案内通路４２が配設される。案内通路４２は、遊技球が整列されて１列に並び、下流側へ案内されるように構成される。案内通路４２の一端側（下流側）は、図６に示すように、後述する球送りカセット５０と連結され、上皿４０と球送りカセット５０とが遊技球が通過可能に連通される。
なお、上皿４０は、本発明に係る「皿部」の一実施形態である。
【００３１】
次に、球送りカセット５０の構成について、図５から図７を用いてさらに詳細に説明する。
【００３２】
球送りカセット５０は、前述したように、上皿４０から発射装置６０に遊技球を１球ずつ供給する装置である。球送りカセット５０は、発射経路において上皿４０の下流側に配置される。球送りカセット５０は、略箱状に形成される筐体５１に、入球部５２と、球送りソレノイド５３（球送り部材）と、出球部５４と、が設けられる。
【００３３】
入球部５２は、上皿４０から供給された遊技球を筐体５１内部に受け入れるための開口部である。入球部５２は、筐体５１の窓枠４側となる前側面が、正面視で略矩形状であって、前後方向に貫通して形成される。入球部５２は、遊技球が１球ずつ通過な程度の内径にて形成される。入球部５２は、図６に示すように、上皿４０の案内通路４２の一端側（下流側）に連結されて、上皿４０と筐体５１（球送りカセット５０）とが遊技球が通過可能に連通される。
【００３４】
球送りソレノイド５３は、入球部５２から筐体５１内部に受け入れた遊技球を発射装置６０側へ送り出すものである。球送りソレノイド５３は、筐体５１内部であって、発射経路において入球部５２の下流側に配置される。球送りソレノイド５３の近傍には、遊技球を発射装置６０側へ送り出す送り出し機構５５が配設される。送り出し機構５５は、クランク５６等により構成される。クランク５６は、球送りソレノイド５３の駆動に応じて可動して、遊技球を１球ずつ発射装置６０側へ送り出すことができる。なお、球送りソレノイド５３は、図示せぬ制御手段に電気的に接続され、当該制御手段により駆動が制御される。より詳細には、発射装置６０の発射杵６５の動作（遊技球の発射）に応じて駆動が制御される。
【００３５】
出球部５４は、球送りソレノイド５３により送り出された遊技球を筐体５１内部から外部、つまり発射装置６０へ向けて誘導する開口部である。出球部５４は、発射経路において球送りソレノイド５３の下流側に配置される。出球部５４は、筐体５１の発射装置６０側となる後側面が、正面視で略矩形状であって、前後方向に貫通して形成される。出球部５４は、遊技球が１球ずつ通過可能な程度の内径にて形成される。
【００３６】
このような構成により、球送りカセット５０は、上皿４０から供給された遊技球が、入球部５２を介して筐体５１内部に受け入れられ、球送りソレノイド５３の駆動に応じて送り出し機構５５のクランク５６により１球ずつ送り出され、出球部５４を介して発射装置６０へと誘導（供給）される。
なお、球送りカセット５０は、本発明に係る「遊技球供給装置」の一実施形態である。
【００３７】
次に、発射装置６０の構成について、図８を用いてさらに詳細に説明する。
【００３８】
発射装置６０は、前述したように、遊技領域７３へ向けて遊技球を発射する装置である。より詳細には、球送りカセット５０から１球ずつ供給された遊技球を、発射レール７０（誘導路７４）側へ向けて発射して遊技領域７３に投入する装置である。発射装置６０は、遊技経路において球送りカセット５０の下流側に配置される。発射装置６０は、当該発射装置６０の主たる構造体となる基台６１に、補助レール６２と、発射機構６３と、発射ソレノイド６４と、が設けられる。
【００３９】
補助レール６２は、後述する発射レール７０の一部を構成するものである。補助レール６２は、球送りカセット５０から供給された遊技球、より詳細には出球部５４から誘導された遊技球を受け入れると共に、発射装置６０により発射された遊技球を誘導路７４側へ向けて誘導するものである。補助レール６２は、発射経路において球送りカセット５０の出球部５４の下流側に配置される。補助レール６２は、金属製の帯状の部材により形成される。補助レール６２は、左部を上方とし、右部を下方として基台６１に支持され、短手方向を前後方向として基台６１から前方へ向けて突出している。補助レール６２は、当該補助レール６２の上面側に沿って遊技球が移動可能に構成される。なお、球送りカセット５０の出球部５４から受け入れた遊技球は、補助レール６２に右端部に配置される。
【００４０】
発射機構６３は、補助レール６２に受け入れられた遊技球を、誘導路７４側（遊技領域７３）へ向けて打ち出すものである。発射機構６３は、正面視で補助レール６２の概ね右下方に配置される。発射機構６３は、発射杵６５等により構成される。発射杵６５は、基台６１に対して左右方向へ回動可能に支持される。発射杵６５は、発射ソレノイド６４の駆動に応じて左右方向へ回動し、補助レール６２の右端部に配置された遊技球を打ち出し可能に構成される。
【００４１】
発射ソレノイド６４は、当該発射ソレノイド６４の駆動に応じて、発射機構６３の発射杵６５を左右方向へ回動させるものである。発射ソレノイド６４は、発射機構６３の概ね前方に配置される。発射ソレノイド６４は、前記制御手段に電気的に接続され、前記発射ハンドル２２の回動操作に応じて当該制御手段により駆動が制御される。
【００４２】
このような構成により、発射装置６０は、球送りカセット５０から供給された遊技球が、補助レール６２に受け入れられ、当該補助レール６２の右端部に配置される。そして、発射ハンドル２２の回動操作による発射ソレノイド６４の駆動に応じて、発射機構６３の発射杵６５が左右方向に回動し、前記補助レール６２の右端部に配置された遊技球を打ち出す（発射する）ことができる。そして、打ち出された遊技球は、補助レール６２に沿って移動して、誘導路７４側へ向けて誘導される。
なお、発射装置６０は、本発明に係る「発射装置」の一実施形態である。
【００４３】
次に、発射レール７０の構成について、さらに詳細に説明する。
【００４４】
発射レール７０は、球送りカセット５０により供給されて発射装置６０によって発射された遊技球を、遊技領域７３へ向けて誘導するものである。発射レール７０は、発射経路において発射装置６０の下流側に配置される。
発射レール７０は、主として、前記発射装置６０の補助レール６２と、ガイドレール７５のうちの誘導路７４を区画形成する部分と、により構成される。
【００４５】
ガイドレール７５は、図３に示すように、主として、外レール７１と、内レール７２と、により構成される。
外レール７１は、遊技盤５の左側および上側の外周を周回するように配置される。外レール７１は、発射装置６０により発射された遊技球が、当該外レール７１における遊技領域７３側の面に沿って移動する。つまり、外レール７１は、発射レール７０において遊技球を遊技領域７３へ向けて誘導するレールとなる。内レール７２は、外レール７１よりも遊技盤５の内側であって、当該遊技盤５の左側および下側の外周を周回するように配置される。
【００４６】
そして、遊技盤５の略中央の外レール７１と内レール７２とにより略円形状に区画形成された領域が、前記遊技領域７３とされる。また、遊技盤５の左側部には、外レール７１と内レール７２とが対向して配置されて、これらの間に略円弧形状の領域が区画形成される。そして、この領域が、発射装置６０により発射された遊技球が通過する領域である誘導路７４とされる。そして、ガイドレール７５のうちの前記誘導路７４を区画形成する部分、つまり外レール７１と内レール７２とが対向して配置されている部分（内レール７２においては、誘導路７４と遊技領域７３とを区画する部分）が、発射レール７０の一部として構成される。
【００４７】
発射レール７０の出口には、図２に示すように、遊技領域７３へ投入された遊技球が誘導路７４（発射レール７０）へ逆戻りしないための球戻り防止部材８０が配設される。
発射レール７０の球戻り防止部材８０は、図３および図９に示すように、主として、ベロ状部材８１と、固定部材８２と、により構成される。
【００４８】
ベロ状部材８１は、誘導路７４（発射レール７０）の遊技領域７３側の出口から遊技領域７３へと遊技球を通過させる一方、当該遊技領域７３から当該誘導路７４（当該発射レール７０）への遊技球の通過を阻止するものである。ベロ状部材８１は、弾性を有した金属製の帯状部材であって、長手方向に円弧状に形成される。
【００４９】
固定部材８２は、ベロ状部材８１を発射レール７０、より詳細には内レール７２に固定するものである。固定部材８２は、薄い略直方体状であって、正面視で上側が開放された略「つ」の字状のスリット部８３が前後方向に渡って貫通し、所謂クリップ形状に形成される。固定部材８２は、内レール７２の上端部の遊技領域７３側の面に固定される。
【００５０】
ベロ状部材８１は、長手方向の一端側（下端側）が、固定部材８２のスリット部８３に嵌挿される。これによって、ベロ状部材８１が、固定部材８２に固定される。そして、固定部材８２が内レール７２に固定されることによって、ベロ状部材８１が内レール７２に固定されることとなる。なお、ベロ状部材８１は内レール７２に固定された状態で、長手方向の他端側（上端側）に行くに従い緩やかに外レール７１側へ向けて湾曲する。ベロ状部材８１の上端側は、外レール７１に略当接する程度に近接されており、誘導路７４の遊技領域７３側（出口側）端部を閉じている。
【００５１】
このような構成により、球戻り防止部材８０は、誘導路７４（発射レール７０）の遊技領域７３側の出口から遊技領域７３へと移動する遊技球により、ベロ状部材８１が遊技球の通過方向へ向けて押しのけられて弾性変形し、誘導路７４が開くことにより遊技球が通過可能とする。他方、球戻り防止部材８０は、当該遊技領域７３から当該誘導路７４（当該発射レール７０）へと移動する遊技球に対しては、ベロ状部材８１がその上端側で外レール７１と当接して誘導路７４を閉じることになり、つまりベロ状部材８１が遊技領域７３と反対側へ押しのけられることが規制され、当該ベロ状部材８１により遊技球の通過を阻止する。
【００５２】
このような構成により、発射レール７０は、発射装置６０の補助レール６２を上流側とし、ガイドレール７５のうちの前記誘導路７４を区画形成する部分を下流側として配置される。そして、発射装置６０によって発射された遊技球が、発射装置６０の補助レール６２により誘導路７４へ誘導され、当該誘導路７４を区画形成している外レール７１と内レール７２とにより遊技領域７３へ向けて誘導されて（誘導路７４を通過して）、球戻り防止部材８０を介して遊技領域７３へ投入される（誘導される）。なお、遊技領域７３へ投入された遊技球は、球戻り防止部材８０により誘導路７４へ逆戻りすることが防止され、当該遊技領域７３を転動することとなる。
【００５３】
以上のような構成により、発射経路において、上皿４０に貯溜された遊技球は、球送りカセット５０、発射装置６０、発射レール７０の順番に供給されて遊技領域７３へと投入される。
なお、発射経路には、当該発射経路に糸状部材が内挿された場合に、当該内挿された状態の糸状部材が動くことを規制する規制部材１００が配設される（図３参照）。
【００５４】
次に、発射経路に糸状部材が内挿された場合となる不正行為の一例として、図２２を用いて、所謂吊り球ゴトについて説明する。
なお、以下では、本発明の第一実施形態に係るパチンコ遊技機１に吊り球ゴトが行われた場合を例に挙げて説明する。
【００５５】
吊り球ゴトとは、一般入賞口１１や始動入賞口１９や大入賞口１７に不正に遊技球を入賞させて賞球の獲得を図る不正行為である。具体的には、糸状部材として、釣り糸やピアノ線等の視認し難く、且つ適度な強度を有する可撓性部材が想定され得る。そして、図２２に示すように、（糸状部材として）例えば釣り糸Ｙの一端側を遊技球に連結する（以下の説明では、釣り糸Ｙに連結された遊技球を「遊技球Ｐ」と称する。）。そして、釣り糸Ｙの他端側をパチンコ遊技機１の外で保持したまま、遊技球Ｐを上皿４０に供給する。そして、発射ハンドル２２を回動操作することにより、遊技球Ｐは、上皿４０から、球送りカセット５０、発射装置６０、発射レール７０の順番に供給されて、つまり発射経路を移動して遊技領域７３へと投入される。なお、かかる際に、釣り糸Ｙの他端側は、パチンコ遊技機１の外で保持されたままである。したがって、釣り糸Ｙは、その一端側が遊技球Ｐに連結されたまま遊技領域７３へと投入される一方、他端側はパチンコ遊技機１の外に保持されている。つまり、釣り糸Ｙは、上皿４０と、球送りカセット５０と、発射装置６０と、発射レール７０との順番に内挿された状態、つまり発射経路に内挿された状態となる。
このような状態において、釣り糸Ｙの他端側をパチンコ遊技機１の外から操作すると、遊技領域７３に投入された遊技球Ｐを任意方向に移動させることが可能となる。つまり、不正行為者は、所望する各入賞口１１・１７・１９に不正に遊技球Ｐを入賞させて賞球の獲得を図ることができるのである。
【００５６】
次に、発射経路に配設される規制部材１００の構成について、図１０から図１２を用いてさらに詳細に説明する。
なお、以下の説明では、図１０における紙面の上側を規制部材１００の上側、紙面の下側を規制部材１００の下側として説明する。
なお、規制部材１００は、本発明に係る「規制部材」の第一実施形態である。
【００５７】
規制部材１００は、前述したように、発射経路に糸状部材（以下では、一例として「釣り糸Ｙ」を挙げて説明する。）が内挿された場合に、当該内挿された状態の釣り糸Ｙが動くことを規制する部材である。より詳細には、規制部材１００は、発射経路に内挿された釣り糸Ｙが当該規制部材１００に接触すると、当該釣り糸Ｙが他方（釣り糸Ｙの内挿方向と略直交する方向）へ動くことを困難として、不正行為者による釣り糸Ｙの操作をし難くする部材である。
【００５８】
規制部材１００は、発射経路において、発射レール７０に配置される。より詳細には、図３に示すように、規制部材１００は、発射レール７０のうち、内レール７２の外レール７１と対向する側の面、つまり誘導路７４側の面に配置される。
規制部材１００は、主として、規制板１０１により構成される。規制板１０１は、弾性を有した金属製の帯状部材が長手方向略中央にて折曲され（以下の説明では、折曲された部分を「折曲部１０２」と称する。）、正面視で略「く」の字状に形成される。規制板１０１は、内レール７２の誘導路７４側の面に折曲部１０２を当該誘導路７４側へ突出させた状態で取り付けられる。折曲部１０２には、切欠部１０３が設けられる。切欠部１０３は、図１１（ｂ）に示すように、折曲部１０２を底面視で内レール７２側へ向けて略Ｖ字状に切り欠いて形成される。切欠部１０３は、折曲部１０２の略中央に配置される。なお、切欠部１０３においては、その頂点（以下の説明では、「頂点１０７」と称する。）を挟んだ両側部の相互の角度が出来るだけ鋭角であることが望ましい。
なお、規制板１０１の折曲部１０２から外レール７１までの幅は、遊技球の外径よりも長くなるように形成される。これにより、外レール７１における誘導路７４側（遊技領域７３側）の面に沿って移動する遊技球が、規制部材１００と衝突することの防止を図ることができる。
【００５９】
ここで、発射レール７０および遊技領域７３に内挿された状態の釣り糸Ｙは、図２２に示すように、内レール７２の上端面を頂点として当該内レール７２を跨いだ状態で、両端部を下方へ向けて折り返されている。内レール７２の誘導路７４側の面は、当該内レール７２の上端面よりも左方へ湾曲している。また、発射経路における発射レール７０の上流側となる発射装置６０は、当該発射レール７０（誘導路７４）よりも概ね右下方に配置される。したがって、発射レール７０に内挿された釣り糸Ｙには、右方（内レール７２側）へ向けての張力が作用し、誘導路７４を挟んで左右に配置された外レール７１と内レール７２とのうち、内レール７２の誘導路７４側の面に接触することとなる。つまり、発射レール７０に内挿された釣り糸Ｙは、内レール７２の誘導路７４側の面に取り付けられた規制部材１００、より詳細には規制板１０１に接触することとなる。
【００６０】
このような構成により、規制部材１００に釣り糸Ｙが接触した場合、当該釣り糸Ｙには右方へ向けての張力が作用しているため、当該釣り糸Ｙは、図１１（ａ）に示すように、規制板１０１に形成された切欠部１０３の頂点１０７側へ向けて案内される。そして、切欠部１０３の頂点１０７に案内された釣り糸Ｙは、図１１（ｂ）に示すように、当該切欠部１０３の頂点１０７を挟んだ両側部により挟持されることとなる。したがって、かかる状態の釣り糸Ｙが動かされると、当該釣り糸Ｙは前記両側部に対して摺動することとなり、他方（釣り糸Ｙの内挿方向と略直交する方向）へ動くことが困難となる。つまり、規制部材１００は、発射レール７０（発射経路）に釣り糸Ｙが内挿された場合に、不正行為者による当該釣り糸Ｙの操作をし難くすることができる。
【００６１】
また、規制部材１００は、変形可能な構成とすることができる。つまり、誘導路７４を移動する遊技球が規制部材１００に衝突した場合であっても、規制部材１００が変形することにより、遊技球の規制部材１００との衝突の影響（例えば、遊技球の移動が規制されたり、遊技球に傷が付いたりすること）を極力防止するものである。
具体的には、弾性を有した金属製の帯状部材からなる規制板１０１は、その上端側が内レール７２に固定され、下端側が支持部１０４により内レール７２の延出方向に沿って摺動自在な状態で支持される構成とする。
【００６２】
このような構成により、図１２（ａ）に示すように、何らかの理由（例えば、発射装置６０による発射力が弱くて遊技領域７３にまで到達しなかった遊技球が落下する場合等）により誘導路７４を移動する遊技球が外レール７１から離間して移動し、規制部材１００に上方から衝突した際には、遊技球が当該規制部材１００の規制板１０１を、内レール７２側へ向けて押圧する。そして、規制板１０１は、その下端側が内レール７２の延出方向に沿って下方へ向けて摺動させる。つまり、規制板１０１は、図１２（ｂ）に示すように、上端側を固定したまま下端側が下方へ向けて摺動され、正面視で折曲部１０２の折り曲げ角度を広げながら、当該折曲部１０２を内レール７２側へ向けて移動させる。
したがって、規制部材１００は、誘導路７４を移動する遊技球が当該規制部材１００に衝突した場合であっても、当該規制部材１００（規制板１０１）が変形することにより、当該遊技球の規制部材１００との衝突の影響（例えば、遊技球の移動が規制されたり、遊技球に傷が付いたりすること）を極力防止することができる。
なお、固定する側と摺動可能な側とが逆の構成、つまり規制板１０１の上端側が内レール７２の延出方向に沿って摺動可能な状態で支持され、下端側が内レール７２に固定される構成であってもよい。
【００６３】
なお、規制部材１００は、前述したように、本発明に係る「規制部材」の第一実施形態であり、この構成に限定するものでない。つまり、規制部材１００は、発射経路に糸状部材が内挿された場合に、当該内挿された状態の糸状部材が動くことを規制することができる構成であればよい。
以下では、規制部材１００の別実施形態の構成について説明する。
【００６４】
規制部材１００には、図１３（ａ）に示すように、糸状部材を切断可能な刃部１０５が設けられる構成とすることができる。刃部１０５は、切欠部１０３の頂点１０７に、切断する側を当該切欠部１０３の内側へ向けて配置される。したがって、前述したように、切欠部１０３の頂点１０７に案内された釣り糸Ｙは、図１３（ｂ）に示すように、右方へ向けての張力の作用や当該釣り糸Ｙの操作（動き）により刃部１０５に押し付けられて切断されることとなる。
【００６５】
このような構成により、釣り糸Ｙが切断されると、遊技領域７３に吊り下げられた遊技球は、当該釣り糸Ｙから開放されるので、不正行為者による当該釣り糸Ｙの操作をできなくすることができる。また、刃部１０５は、切欠部１０３の頂点１０７、つまり切欠部１０３の内側に配置されるので、遊技球が規制部材１００に衝突した場合であっても、当該遊技球は刃部１０５と当接することはない。つまり、遊技球には、刃部１０５による傷が付くことがない。
【００６６】
また、規制部材１００には、前述したような規制板１０１でなく、図１４に示すように、凸凹部材１０６が設けられる構成とすることができる。凸凹部材１０６には、内レール７２から誘導路７４側へ向けて突出する複数の突出部１０８が設けられる。すなわち、複数の突出部１０８を設けることで、隣り合う突出部１０８の間の隙間により、釣り糸Ｙが絡み易くするものである。例えば、突出部１０８は、細長い針状の部材により形成される。突出部１０８（針状の部材）は、先端側を誘導路７４側の様々の方向へ延出させ、釣り糸Ｙがより絡み易く形成される。
【００６７】
このような構成により、規制部材１００の突出部１０８に釣り糸Ｙが絡むこととなるので、当該釣り糸Ｙは他方へ動くことが困難となる。つまり、規制部材１００は、発射レール７０（発射経路）に釣り糸Ｙが内挿された場合に、不正行為者による当該釣り糸Ｙの操作をし難くすることができる。
【００６８】
また、規制部材として、内レール７２の誘導路７４側の面に、図１５（ａ）に示すように、遊技領域７３側に頂点１０７を有する略Ｖ字状の切欠部１０３を当該内レール７２の延出方向に沿って形成したり、図１５（ｂ）に示すように、内レール７２自体を遊技領域７３側が頂点となるような略「く」の字状に折曲して形成したりする構成とすることができる。
【００６９】
このような構成により、釣り糸Ｙは、切欠部１０３の頂点１０７や内レール７２の略「く」の字状の頂点を挟んだ両側部により挟持されることとなる。したがって、かかる状態の釣り糸Ｙが動かされると、当該釣り糸Ｙは前記両側部に対して摺動することとなり、他方へ動くことが困難となる。つまり、かかる構成により、発射レール７０（発射経路）に釣り糸Ｙが内挿された場合に、不正行為者による当該釣り糸Ｙの操作をし難くすることができる。
なお、前述したような規制部材１００の構成と同様に、切欠部１０３の頂点１０７や内レール７２の略「く」の字状の頂点に、糸状部材を切断可能な刃部が設けられる構成とすることもできる。
【００７０】
次に、本発明に係る「規制部材」の第二実施形態である第二規制部材の構成について説明する。
【００７１】
第二規制部材は、発射経路において、発射レール７０に設けられた球戻り防止部材８０の別実施形態である第二球戻り防止部材１０９により構成される。第二球戻り防止部材１０９は、（球戻り防止部材８０の）ベロ状部材８１の別実施形態である第二ベロ状部材１１０を備える。
以下に、第二ベロ状部材１１０の構成について、図１６を用いて説明する。
【００７２】
第二ベロ状部材１１０には、図１６（ａ）および（ｂ）に示すように、切欠部１１１が設けられる。切欠部１１１は、弾性を有した金属製の帯状部材である第二ベロ状部材１１０の上端部を側面視で略Ｖ字状に切り欠いて形成される。切欠部１１１は、第二ベロ状部材１１０の上端部を左右方向に貫通して形成される。切欠部１１１は、第二ベロ状部材１１０の上端部の前後方向略中央に配置される。なお、切欠部１１１においては、その頂点（以下の説明では、「頂点１１２」と称する。）を挟んだ両側部の相互の角度は出来るだけ鋭角であることが望ましい。
【００７３】
ここで、発射レール７０および遊技領域７３に内挿された状態の釣り糸Ｙは、図２２に示すように、内レール７２の上端面、より詳細には第二ベロ状部材１１０を頂点として当該第二ベロ状部材１１０を跨いだ状態で、両端部を下方へ向けて折り返されている（吊られている）。
【００７４】
このような構成により、内レール７２の上端面に接触している釣り糸Ｙには下方へ向けての張力が作用し、当該釣り糸Ｙが（内レール７２の上端面よりも下方に配置される）切欠部１１１の頂点１１２に案内される。そして、切欠部１１１の頂点１１２に案内された釣り糸Ｙは、第二ベロ状部材１１０において当該切欠部１１１の頂点１１２を挟んだ両側部により挟持されることとなる。したがって、かかる状態の釣り糸Ｙが動かされると、当該釣り糸Ｙは前記両側部に対して摺動することとなり、他方へ動くことが困難となる。つまり、第二球戻り防止部材１０９は、発射レール７０（発射経路）に釣り糸Ｙが内挿された場合に、不正行為者による当該釣り糸Ｙの操作をし難くすることができる。
【００７５】
また、第二球戻り防止部材１０９は、第二ベロ状部材１１０と共に、（球戻り防止部材８０の）固定部材８２の別実施形態である第二固定部材１１４を備える構成とすることができる。
以下に、第二固定部材１１４の構成について、図１７を用いて説明する。
【００７６】
第二固定部材１１４には、図１７に示すように、切欠部１１５が設けられる。切欠部１１５は、第二固定部材１１４の上端部を側面視で略Ｖ字状に切り欠いて形成される。切欠部１１５は、第二固定部材１１４の上端部を左右方向に貫通して形成される。なお、切欠部１１５が形成される場所は、第二固定部材１１４の上端部において特に限定するものでないが、当該第二固定部材１１４の上端部から上方へ向けて延出されている第二ベロ状部材１１０の前側に隣接して形成することが望ましい。また、切欠部１１５は、第二ベロ状部材１１０の後側に隣接して形成することも可能である。なお、切欠部１１５においては、その頂点（以下の説明では、「頂点１１６」と称する。）を挟んだ両側部の相互の角度は出来るだけ鋭角であることが望ましい。
【００７７】
このような構成により、釣り糸Ｙが第二ベロ状部材１１０の上端面から落下した場合であっても、（当該第二ベロ状部材１１０の上端面よりも下方に配置される）第二固定部材１１４の上端面にて当該釣り糸Ｙを受け取り、さらに当該釣り糸Ｙが（第二固定部材１１４の上端面よりも下方に配置される）切欠部１１５の頂点１１６に案内される。そして、切欠部１１５の頂点１１６に案内された釣り糸Ｙは、当該切欠部１１５の頂点１１６を挟んだ両側部により挟持されることとなる。したがって、かかる状態の釣り糸Ｙが動かされると、当該釣り糸Ｙは前記両側部に対して摺動することとなり、他方へ動くことが困難となる。つまり、第二球戻り防止部材１０９、発射レール７０（発射経路）に釣り糸Ｙが内挿された場合に、不正行為者による当該釣り糸Ｙの操作をし難くすることができる。
【００７８】
また、本実施形態では、第二固定部材１１４において、略Ｖ字状に切り欠けられた切欠部１１５の頂点１１６を挟んだ両側部が、第二ベロ状部材１１０と第二固定部材１１４とで形成されることとなる。すなわち、切欠部１１５の頂点１１６に案内された釣り糸Ｙは、当該切欠部１１５の頂点１１６を挟んだ第二ベロ状部材１１０と第二固定部材１１４とにより挟持されることとなる。したがって、かかる状態の釣り糸Ｙが動かされると、当該釣り糸Ｙは第二ベロ状部材１１０と第二固定部材１１４とに対して摺動することとなり、他方へ動くことが困難となる。また、第二ベロ状部材１１０は、前述したように、金属製の部材であるので、釣り糸Ｙが摺動することにより当該釣り糸Ｙを切断することもできる。つまり、第二球戻り防止部材１０９は、発射レール７０（発射経路）に釣り糸Ｙが内挿された場合に、不正行為者による当該釣り糸Ｙの操作をし難くすることができる。
なお、前述したような規制部材１００の構成と同様に、切欠部１１５の頂点１１６に、糸状部材を切断可能な刃部が設けられる構成とすることもできる。
【００７９】
また、第二固定部材１１４には、図１８に示すように、緩衝材１１８が設けられる構成とすることができる。緩衝材１１８は、第二固定部材１１４と、当該第二固定部材１１４の前方に配置された透明板１８と、の隙間を埋めるための部材である。緩衝材１１８は、細長い側面視で略矩形状であって、透明性、且つ弾性を有する部材により形成される。緩衝材１１８は、その一側が第二固定部材１１４の前側に固定され、他側が前方（透明板１８側）へ向けて延出されて透明板１８と略当接される。なお、緩衝材１１８の上端面は、第二固定部材１１４の上端面よりも上方、または同一の高さに形成される。
【００８０】
このような構成により、第二ベロ状部材１１０の上端面から落下した釣り糸Ｙは、緩衝材１１８により第二固定部材１１４と透明板１８との間の隙間が埋められているので、第二固定部材１１４の上端面よりも下方へ落下することがない。つまり、第二ベロ状部材１１０の上端面から落下した釣り糸Ｙは、緩衝材１１８を介して第二固定部材１１４の切欠部１１５へと案内されることとなる。
【００８１】
次に、本発明に係る「規制部材」の第三実施形態である第三規制部材の構成について説明する。
【００８２】
図１９に示すように、第三規制部材は、発射経路において、球送りカセット５０の別実施形態である第二球送りカセット１２０により構成される。第二球送りカセット１２０は、（球送りカセット５０の）出球部５４の別実施形態である第二出球部１２１を備える。
以下に、第二出球部１２１の構成について説明する。
【００８３】
まず、第二球送りカセット１２０に内挿された釣り糸Ｙの状態について説明する。
第二球送りカセット１２０に内挿された釣り糸Ｙは、入球部５２から筐体５１に内挿され、第二出球部１２１から当該筐体５１の外へと延出される。なお、筐体５１、つまり第二球送りカセット１２０から外へ延出された釣り糸Ｙは、発射装置６０の補助レール６２の延出方向に沿って、つまり遊技球の移動（誘導）方向に沿って延出される。
なお、第二球送りカセット１２０の第二出球部１２１は前後方向に貫通されている。つまり、第二出球部１２１から筐体５１の外へ延出される釣り糸Ｙは、当該第二出球部１２１から後方へ向けて延出される。他方、発射装置６０の補助レール６２は、延出方向を左斜め上方へ向けて配置される。つまり、発射装置６０に内挿された釣り糸Ｙは、補助レール６２に沿って左斜め上方へ向けて延出される。したがって、第二球送りカセット１２０の第二出球部１２１から筐体５１の外へ延出される釣り糸Ｙは、その延出方向を、当該第二出球部１２１の左側縁部を折り返し部として後方向から左斜め上方へと折り返す（変更する）こととなる。
【００８４】
第二出球部１２１には、図１９に示すように、切欠部１２２が設けられる。切欠部１２２は、第二出球部１２１の左側縁部にて、背面視で略Ｖ字状に切り欠いて形成される。切欠部１２２は、第二出球部１２１の左側縁部を前後方向に貫通して形成される。なお、切欠部１２２の配置は、前述したように、釣り糸Ｙが後方から左斜め上方へと向けて延出方向を変更するので、当該第二出球部１２１の左側縁部の上部に形成されることが望ましい。また、第二出球部１２１の左側縁部は、当該左側縁部にて折り返された釣り糸Ｙを、上部に配置された切欠部１２２へ向けて案内し易いように、当該左側縁部の下側から上側に行くに従い緩やかに左斜め方向へ傾斜していることが望ましい。なお、切欠部１２２においては、その頂点（以下の説明では、「頂点１２３」と称する。）を挟んだ両側部の相互の角度は出来るだけ鋭角であることが望ましい。
【００８５】
このような構成により、第二出球部１２１に左側縁部で折り返されている釣り糸Ｙは、左斜め上方へ向けての張力の作用や当該釣り糸Ｙの操作（動き）によって、第二出球部１２１の切欠部１２２の頂点１２３へ向けて案内される。そして、切欠部１２２の頂点１２３に案内された釣り糸Ｙは、第二出球部１２１の左側縁部において、当該切欠部１２２の頂点１２３を挟んだ両側部により挟持されることとなる。したがって、かかる状態の釣り糸Ｙが動かされると、当該釣り糸Ｙは前記両側部に対して摺動することとなり、他方へ動くことが困難となる。つまり、第二球送りカセット１２０は、当該第二球送りカセット１２０（発射経路）に釣り糸Ｙが内挿された場合に、不正行為者による当該釣り糸Ｙの操作をし難くすることができる。
また、発射装置６０によって遊技球Ｐが発射されて、発射経路における第二球送りカセット１２０よりも下流側を当該遊技球Ｐが移動する際に、遊技球Ｐの移動とともに当該遊技球Ｐに取り付けられた釣り糸Ｙが、切欠部１２２の頂点１２３を挟んだ両側部と摺動することとなる。したがって、釣り糸Ｙが引っかかることとなるため、釣り糸Ｙが取り付けられた遊技球Ｐを遊技領域７３まで到達し難くすることが可能となる。つまり、釣り糸Ｙが取り付けられた遊技球Ｐを発射させ難くすることができる。
なお、前述したような規制部材１００の構成と同様に、切欠部１２２の頂点１２３に、糸状部材を切断可能な刃部が設けられる構成とすることもできる。
【００８６】
なお、第三規制部材の別実施形態の構成について説明する。
【００８７】
第二出球部１２１には、図２０に示すように、前述したような切欠部１２２でなく、鋸刃部１２４が設けられる。鋸刃部１２４は、第二出球部１２１の左側縁部にて、背面視で所謂鋸刃状（ジクザグ状）に形成される。換言すれば、第二出球部１２１の左側縁部に略Ｖ字状に切り欠いて形成されるＶ字部１２５が上下方向に複数並べて配置される。なお、各Ｖ字部１２５においては、その頂点（以下の説明では、「頂点１２６」と称する。）を挟んだ両側部の相互の角度は出来るだけ鋭角であることが望ましい。
【００８８】
このような構成により、第二出球部１２１に左側縁部で折り返されている釣り糸Ｙは、当該左側縁部の上下方向のどの位置で折り返されたとしても、複数配置されたＶ字部１２５のうちのいずれかのＶ字部１２５の頂点１２６に案内されることとなる。そして、Ｖ字部１２５の頂点１２６に案内された釣り糸Ｙは、第二出球部１２１の左側縁部において、当該Ｖ字部１２５の頂点１２６を挟んだ両側部により挟持されることとなる。したがって、かかる状態の釣り糸Ｙが動かされると、当該釣り糸Ｙは前記両側部に対して摺動することとなり、他方へ動くことが困難となる。つまり、第二球送りカセット１２０は、当該第二球送りカセット１２０（発射経路）に釣り糸Ｙが内挿された場合に、不正行為者による当該釣り糸Ｙの操作をし難くすることができる。
また、発射装置６０によって遊技球Ｐが発射されて、発射経路における第二球送りカセット１２０よりも下流側を当該遊技球Ｐが移動する際に、遊技球Ｐの移動とともに当該遊技球Ｐに取り付けられた釣り糸Ｙが、Ｖ字部１２５の頂点１２６を挟んだ両側部と摺動することとなる。したがって、釣り糸Ｙが引っかかることとなるため、釣り糸Ｙが取り付けられた遊技球Ｐを遊技領域７３まで到達し難くすることが可能となる。つまり、釣り糸Ｙが取り付けられた遊技球Ｐを発射させ難くすることができる。
なお、前述したような規制部材１００の構成と同様に、Ｖ字部１２５の頂点１２６に、糸状部材を切断可能な刃部が設けられる構成とすることもできる。
【００８９】
また、第二出球部１２１に、ヒレ状部材１３０を設ける構成とすることができる。
以下に、ヒレ状部材１３０の構成について、図２１を用いて説明する。
【００９０】
ヒレ状部材１３０は、主として、枠部１３１と、ヒレ部１３２と、により構成される。
枠部１３１は、中央が開口された略矩形に形成された枠体である。枠部１３１の中央の開口部は、第二出球部１２１の開口部と、その形状および大きさが略同一に形成される。枠部１３１は、第二出球部１２１の周縁部に、当該枠部１３１の開口部と第二出球部１２１の開口部との位置を合わせて脱着可能に構成される。
ヒレ部１３２は、複数のヒレ１３３により構成される。ヒレ１３３は、薄い平板状のゴム片であって、正面視で略三角形に形成される。ヒレ１３３は、その外周の一辺を枠部１３１に固定し、頂点の一つが枠部１３１の中央を向くように配置される。ヒレ１３３は、枠部１３１の内側の周縁部に略隙間無く並べて配置される。
【００９１】
このような構成により、ヒレ状部材１３０は、第二出球部１２１の周縁部に取り付けられる。なお、ヒレ状部材１３０は、第二出球部１２１を通過する遊技球に対して、その通過を規制するものでない。つまり、第二出球部１２１を通過する遊技球が、ヒレ状部材１３０を通過する際にヒレ１３３に衝突した場合であっても、当該ヒレ１３３は薄い平板状のゴム片であるので、遊技球の通過方向へ向けて弾性変形し、遊技球の通過は規制されない。なお、遊技球の通過方向へ向けて弾性変形したヒレ１３３は、当該遊技球が通過した後に当初の形状に復元する。
【００９２】
一方、ヒレ状部材１３０に釣り糸Ｙが内挿された場合、つまり第二出球部１２１（第二球送りカセット１２０）に釣り糸Ｙが内挿された場合には、当該釣り糸Ｙは第二出球部１２１の左側縁部と共に、ヒレ状部材１３０の左側縁部にて折り返される。したがって、釣り糸Ｙは、ヒレ部１３２において隣り合うヒレ１３３とヒレ１３３との間の隙間に入り込む（案内される）こととなる。ヒレ１３３とヒレ１３３との間の隙間に入り込んだ釣り糸Ｙは、ヒレ１３３とヒレ１３３とにより挟持されることとなる。したがって、かかる状態の釣り糸Ｙが動かされると、当該釣り糸Ｙはヒレ１３３とヒレ１３３とに対して摺動することとなり、他方へ動くことが困難となる。つまり、ヒレ状部材１３０は、当該ヒレ状部材１３０に釣り糸Ｙが内挿された場合に、不正行為者による当該釣り糸Ｙの操作をし難くすることができる。
【００９３】
なお、ヒレ状部材１３０のヒレ１３３は、前述したような、薄い平板状のゴム片に限定するものでない。すなわち、弾性変形可能な部材であって、釣り糸Ｙが絡み易い部材であればよい。
また、本実施形態において、ヒレ状部材１３０は、発射経路において、第二球送りカセット１２０の第二出球部１２１に配置される構成としているが、これに限定するものでない。すなわち、発射経路において、ヒレ状部材１３０を配置（取り付け）可能な場所であれば、特に限定するものでない。また、ヒレ状部材１３０は、その配置（取り付け）場所に応じて枠部１３１およびヒレ部１３２の形状を変更することが可能である。
【００９４】
なお、ヒレ状部材１３０は、単独の部材として形成される。したがって、パチンコ遊技機１や当該パチンコ遊技機１を設置したパチンコホール等の事情に応じて、ヒレ状部材１３０を当該パチンコ遊技機１に取り付けることができる。例えば、当初組み立てられたパチンコ遊技機１には、ヒレ状部材１３０を設けずに生産コストを安価なものとして、必要に応じて当該ヒレ状部材１３０を後から取り付けること等の柔軟な対応が可能となる。また、ヒレ状部材１３０は、単独の部材として形成されるので、メンテナンスや破損した際の取替え作業が容易である。
【００９５】
また、第三規制部材は、第二球送りカセット１２０に第二出球部１２１を備える構成に限定するものでない。すなわち、第二球送りカセット１２０は、（球送りカセット５０の）入球部５２の別実施形態である図示せぬ第二入球部を備える構成とすることができる。そして、前記第二入球部には、前述したような、第二出球部１２１と同様の構成を施すことにより、第二球送りカセット１２０（発射経路）に釣り糸Ｙが内挿された場合に、不正行為者による当該釣り糸Ｙの操作をし難くすることができる。
なお、かかる場合には、上皿４０の案内通路４２から第二球送りカセット１２０に内挿（延出）された釣り糸Ｙは、第二球送りカセット１２０の前記第二入球部で、その延出方向を変更し、当該前記第二入球部の一側縁部が、当該釣り糸Ｙの折り返し部となっている必要がある。前記第二入球部の一側縁部が、釣り糸Ｙの折り返し部となることで、当該一側縁部に設けられる（図示せぬ）切欠部等に、当該釣り糸Ｙを案内することができるからである。
さらに、第三規制部材は、第二球送りカセット１２０の筐体５１内部から外部へ遊技球を誘導する開口部（第二出球部１２１）や筐体５１内部へ遊技球を誘導する開口部（前記第二入球部）に備える構成だけでなく、例えば筐体５１内部や第二球送りカセット１２０に入球部５２を介して遊技球を供給する上皿４０の案内経路４２の出口（入球部５２と対向する部分）に備える構成とすることができる。
【００９６】
以上のように、パチンコ遊技機１は、
遊技盤５に遊技領域７３が設けられ、
前記遊技領域７３へ向けて遊技球を発射する発射装置６０と、
前記発射装置６０に供給される遊技球を貯溜する上皿４０（皿部）と、
前記上皿４０（皿部）から前記発射装置６０に遊技球を１球ずつ供給する球送りカセット５０（遊技球供給装置）と、
前記球送りカセット５０（遊技球供給装置）により供給されて前記発射装置６０によって発射された遊技球を前記遊技領域７３へ向けて誘導する発射レール７０と、
を有する発射経路が設けられ、
前記発射経路には、当該発射経路に釣り糸Ｙ（糸状部材）が内挿された場合に、当該内挿された状態の釣り糸Ｙ（糸状部材）が動くことを規制する規制部材が設けられるものである。
【００９７】
さらに、パチンコ遊技機１は、
遊技盤５に遊技領域７３が設けられ、
前記遊技領域７３へ向けて遊技球を発射する発射装置６０と、
前記発射装置６０によって発射された遊技球を前記遊技領域７３へ向けて誘導する発射レール７０と、
が設けられ、
前記発射レール７０は、
前記発射された遊技球を前記遊技領域７３側の面に沿わせて移動させることにより前記遊技領域７３へ向けて誘導する外レール７１と、
前記外レール７１よりも前記遊技領域７３側に配置され、当該外レール７１と共に前記発射された遊技球を通過させる誘導路７４を区画形成し、且つ当該誘導路７４と当該遊技領域７３とを区画する内レール７２と、
を有するガイドレール７５を含んで構成されて、
前記ガイドレール７５における前記内レール７２の前記外レール７１との対向する面には、前記誘導路７４に釣り糸Ｙ（糸状部材）が内挿された場合に、当該内挿された状態の釣り糸Ｙ（糸状部材）が動くことを規制する規制部材が設けられるものである。
【００９８】
さらに、パチンコ遊技機１は、
遊技盤５に遊技領域７３が設けられ、
前記遊技領域７３へ向けて遊技球を発射する発射装置６０と、
前記発射装置６０によって発射された遊技球を前記遊技領域７３へ向けて誘導する発射レール７０と、
が設けられ、
前記発射レール７０には、当該発射レール７０の前記遊技領域７３側の出口に、前記遊技領域７３に誘導された遊技球が当該発射レール７０に逆戻りしないための第二球戻り防止部材１０９が設けられ、
前記第二球戻り防止部材１０９には、
前記発射レール７０の前記遊技領域７３側の出口から前記遊技領域７３へと遊技球を通過させる一方、当該遊技領域７３から当該発射レール７０への遊技球の通過を阻止する第二ベロ状部材１１０と、
前記第二ベロ状部材１１０を前記発射レール７０に固定する固定部材８２と、
が設けられ、
前記第二ベロ状部材１１０には、前記発射レール７０に釣り糸Ｙ（糸状部材）が内挿された場合に、当該内挿された状態の釣り糸Ｙ（糸状部材）が動くことを規制する規制部材が設けられものである。
【００９９】
さらに、パチンコ遊技機１は、
遊技盤５に遊技領域７３が設けられ、
発射杵６５を有して当該発射杵６５の動作により前記遊技領域７３へ向けて遊技球を発射する発射装置６０と、
前記発射装置６０に供給される遊技球を貯溜する上皿４０（皿部）と、
前記発射杵６５の動きに応じて前記上皿４０（皿部）から前記発射装置６０に遊技球を１球ずつ供給する第二球送りカセット１２０（遊技球供給装置）と、
前記第二球送りカセット１２０（遊技球供給装置）により供給されて前記発射装置６０によって発射された遊技球を前記遊技領域７３へ向けて誘導する発射レール７０と、
が設けられ、
前記第二球送りカセット１２０（遊技球供給装置）には、
前記上皿４０（皿部）から供給された遊技球を受け入れる入球部５２と、
前記入球部５２にて受け入れた遊技球を前記発射杵６５の動作に応じて１球ずつ前記発射装置６０側へ送り出す球送りソレノイド５３（球送り部材）と、
前記球送りソレノイド５３（球送り部材）から送り出された遊技球を前記発射装置６０へと誘導する第二出球部１２１と、
が設けられ、
前記第二球送りカセット１２０（遊技球供給装置）に釣り糸Ｙ（糸状部材）が内挿された場合に、前記第二出球部１２１における遊技球を発射する時の前記発射杵６５が動く方向側の縁部に、当該内挿された状態の釣り糸Ｙ（糸状部材）が動くことを規制する規制部材が設けられるものである。
【０１００】
以上のような構成により、パチンコ遊技機１は、所謂吊り球ゴトを行い難くすることができる。
【符号の説明】
【０１０１】
１：パチンコ遊技機，５：遊技盤，４０：上皿，５０：球送りカセット，６０：発射装置，７０；発射レール，７３：遊技領域，１００：規制部材，Ｙ：釣り糸
【要約】
【課題】所謂吊り球ゴトを行い難くすることができるパチンコ遊技機を提供する。
【解決手段】パチンコ遊技機１は、第二球送りカセット１２０に、遊技球を外部の発射装置へ誘導するために開口された第二出球部１２１と、発射経路に糸状部材が内挿された場合に、内挿された状態の糸状部材を切断する刃部と、が設けられ、第二出球部１２１は、四方を縁部で囲まれて形成され、且つ発射経路に糸状部材が内挿された場合に、発射装置により遊技球が発射される方向側の縁部を基点として糸状部材を折り返して糸状部材の延出方向を変更させる位置に配置され、第二出球部１２１の縁部には切欠部１２２の口が設けられ、糸状部材が連結された遊技球が発射された場合に、連結された糸状部材が第二出球部１２１内で四方の縁部により口へと誘導され、口により刃部へと誘導される。
【選択図】図１９【図１】
0005494881.tif 000002
【図２】
0005494881.tif 000003
【図３】
0005494881.tif 000004
【図４】
0005494881.tif 000005
【図５】
0005494881.tif 000006
【図６】
0005494881.tif 000007
【図７】
0005494881.tif 000008
【図８】
0005494881.tif 000009
【図９】
0005494881.tif 000010
【図１０】
0005494881.tif 000011
【図１１】
0005494881.tif 000012
【図１２】
0005494881.tif 000013
【図１３】
0005494881.tif 000014
【図１４】
0005494881.tif 000015
【図１５】
0005494881.tif 000016
【図１６】
0005494881.tif 000017
【図１７】
0005494881.tif 000018
【図１８】
0005494881.tif 000019
【図１９】
0005494881.tif 000020
【図２０】
0005494881.tif 000021
【図２１】
0005494881.tif 000022
【図２２】
0005494881.tif 000023